(57)【要約】【課題】本願が開示する技術は、一つの側面として、シール材の破損を抑制することを目的とする。【解決手段】電子機器１０は、筐体１２と、音発生装置２０と、スライドボタン４２と、制御部９０と、第一シール材６８とを備える。筐体１２は、一対の第一貫通孔６０を外面３２Ａに有する。音発生装置２０は、筐体１２に設けられ、警報音を発生する。一対の第一接点部５０は、筐体１２の外面３２Ａに設けられる。スライドボタン４２は、筐体１２の外面３２Ａに沿ったスライドに伴って一対の第一接点部５０を導通させる。制御部９０は、筐体１２の内部に設けられるとともに、一対の第一貫通孔６０をそれぞれ通る第一導体パターン５２を介して一対の第一接点部５０と接続され、一対の第一接点部５０が導通された場合に音発生装置２０に警報音を発生させる。第一シール材６８は、第一貫通孔６０に第一導体パターン５２が通った状態で、第一貫通孔６０を塞ぐ。【選択図】図７Ａ
2019186627.tif 000002
【特許請求の範囲】
【請求項１】
一対の貫通孔を外面に有する筐体と、
前記筐体に設けられ、警報音を発生する音発生装置と、
前記筐体の前記外面に設けられる一対の接点部と、
前記筐体の前記外面に沿ったスライドに伴って前記一対の接点部を導通させるスライドボタンと、
前記筐体の内部に設けられるとともに、前記一対の貫通孔をそれぞれ通る導体パターンを介して前記一対の接点部と接続され、前記一対の接点部が導通された場合に前記音発生装置に警報音を発生させる制御部と、
前記貫通孔に前記導体パターンが通った状態で、該貫通孔を塞ぐシール材と、
を備える電子機器。
【請求項２】
前記スライドボタンは、前記筐体の前記外面に沿ったスライドに伴って、一対の前記接点部とそれぞれ接触する一対のスライド接点部を有し、
前記貫通孔は、前記一対のスライド接点部の移動経路から外れた位置に配置される、
請求項１に記載の電子機器。
【請求項３】
一対の第一貫通孔、及び第二貫通孔を外面に有する筐体と、
前記筐体に設けられ、警報音を発生する音発生装置と、
前記筐体に設けられ、該筐体の前記外面の浸水を報知する浸水報知部と、
前記筐体の前記外面に設けられる一対の第一接点部と、
前記筐体の前記外面に沿ったスライドに伴って前記一対の第一接点部を導通させるスライドボタンと、
前記筐体の前記外面に設けられる第二接点部と、
前記筐体の内部に設けられるとともに、前記一対の第一貫通孔をそれぞれ通る第一導体パターンを介して前記一対の第一接点部と接続され、かつ、前記第二貫通孔を通る第二導体パターンを介して前記第二接点部と接続され、前記一対の第一接点部及び前記第二接点部のうち、前記一対の第一接点部のみが導通された場合に前記音発生装置に警報音を発生させ、前記一対の第一接点部の少なくとも一方と前記第二接点部とが導通された場合に、前記浸水報知部に前記筐体の前記外面の浸水を報知させる制御部と、
前記第一貫通孔に前記第一導体パターンが通った状態で、該第一貫通孔を塞ぐ第一シール材と、
前記第二貫通孔に前記第二導体パターンが通った状態で、該第二貫通孔を塞ぐ第二シール材と、
を備える電子機器。
【請求項４】
前記スライドボタンは、前記筐体の前記外面に沿ったスライドに伴って、前記一対の第一接点部とそれぞれ接触する一対のスライド接点部を有し、
前記一対の第一貫通孔、及び前記第二貫通孔は、前記一対のスライド接点部の移動経路から外れた位置に配置される、
請求項３に記載の電子機器。
【発明の詳細な説明】
【技術分野】
【０００１】
本願が開示する技術は、電子機器に関する。
【背景技術】
【０００２】
筐体と、筺体に設けられる防犯ブザー等の音発生装置と、筺体の開口にスライド可能に挿入され、筺体に対するスライドに伴って音発生装置を作動させるスライドボタンとを備える電子機器がある（例えば、特許文献１参照）。この電子機器では、筐体の開口とスライドボタンとの隙間がシール材によって密閉される。これにより、筺体の内部に雨水等が浸入することが抑制される。
【先行技術文献】
【特許文献】
【０００３】
【特許文献１】特開２００８−０３５１１５号公報
【発明の概要】
【発明が解決しようとする課題】
【０００４】
しかしながら、上記の電子機器では、筺体の開口に対してスライドボタンがスライドすると、シール材が変形する。そのため、筺体の開口に対してスライドボタンが繰り返しスライドすると、シール材が破損する可能性がある。
【０００５】
本願が開示する技術は、一つの側面として、シール材の破損を抑制することを目的とする。
【課題を解決するための手段】
【０００６】
本願が開示する技術では、電子機器は、筐体と、音発生装置と、スライドボタンと、制御部と、シール材と、を備える。筐体は、一対の貫通孔を外面に有する。音発生装置は、筐体に設けられ、警報音を発生する。一対の接点部は、筐体の外面に設けられる。スライドボタンは、筐体の外面に沿ったスライドに伴って一対の接点部を導通させる。制御部は、筐体の内部に設けられるとともに、一対の貫通孔をそれぞれ通る導体パターンを介して一対の接点部と接続され、一対の接点部が導通された場合に音発生装置に警報音を発生させる。シール材は、貫通孔に導体パターンが通った状態で、貫通孔を塞ぐ。
【発明の効果】
【０００７】
本願が開示する技術によれば、一つの側面として、シール材の破損を抑制することができる。
【図面の簡単な説明】
【０００８】
【図１】図１は、一実施形態に係る電子機器を前面側から見た斜視図である。
【図２】図２は、図１に示される電子機器の後面を示す後面図である。
【図３】図３は、図２に示されるスライドボタン装置を示す斜視図である。
【図４】図４は、図３に示されるスライドボタン装置の分解斜視図である。
【図５】図５は、図４に示されるスライドボタンを内面側から見た斜視図である。
【図６】図６は、図４に示される筐体の凹部を示す平面図である。
【図７Ａ】図７Ａは、凹部にスライドボタンが収納された状態を示す図３の７Ａ−７Ａ線断面図である。
【図７Ｂ】図７Ｂは、凹部の開口からスライドボタンが引き出された状態を示す図７Ａに相当する断面図である。
【図８】図８は、第一貫通孔を示す図７Ａの一部拡大断面図である。
【図９Ａ】図９Ａは、凹部にスライドボタンが収納された状態を示す図３の９Ａ−９Ａ線断面図である。
【図９Ｂ】図９Ｂは、凹部の開口からスライドボタンが引き出された状態を示す図９Ａに相当する断面図である。
【図１０】図１０は、図１に示される電子機器を構成するハードウェアの構成図である。
【図１１】図１１は、図１０に示される制御部によって実行されるプログラムの各ステップを示すフローチャートである。
【発明を実施するための形態】
【０００９】
以下、本願が開示する技術の一実施形態について説明する。
【００１０】
（電子機器）
図１に示されるように、本実施形態に係る電子機器１０は、防水構造（防水機能）を有する携帯端末とされる。なお、携帯端末としては、例えば、携帯電話、及びタブレット等が挙られる。
【００１１】
電子機器１０は、筐体１２と、表示装置１６と、音発生装置２０と、スライドボタン装置４０と、浸水検知部７０とを備える。なお、各図に適宜示される矢印Ｕは、電子機器１０（筐体１２）の上下方向の上側を示す。また、矢印Ｗは、電子機器１０（筐体１２）の幅方向を示す。さらに、矢印Ｔは、電子機器１０（筐体１２）の厚み方向を示す。
【００１２】
（筐体）
筐体１２は、例えば、樹脂等によって扁平な箱状に形成される。この筐体１２は、前面１２Ｆと、後面１２Ｒとを有する。筐体１２の前面（正面）１２Ｆは、筐体１２の厚み方向（矢印Ｔ方向）の一方側の面とされる。また、筐体１２の後面（背面）１２Ｒは、筐体１２の厚み方向の他方側の面とされる。
【００１３】
（表示装置）
筐体１２の前面１２Ｆ側には、表示装置１６が設けられる。表示装置１６は、例えば、液晶表示器とされる。この表示装置１６は、画像や映像等を表示する表示面１６Ａを有する。また、表示面１６Ａの下には、操作ボタン１８が設けられる。なお、表示装置１６の表示面１６Ａは、利用者が指又はペン等でタッチ操作可能な操作面とされても良い。
【００１４】
（音発生装置）
図２に示されるように、筐体１２の内部には、音発生装置２０が設けられる。音発生装置２０は、例えば、スピーカ又はブザーとされる。また、音発生装置２０は、例えば、筐体１２の上部における後面１２Ｒ側に収納される。この音発生装置２０は、利用者によって後述するスライドボタン４２が操作された場合に、防犯用の警報音（以下、「防犯用警報音」という）を発生する。また、音発生装置２０は、後述する浸水検知部７０によって筐体１２の浸水が検知された場合に、浸水を報知する報知音（以下、「浸水報知音」という）を発生する。
【００１５】
なお、筐体１２の後面１２Ｒには、音発生装置２０用の開口２２が形成される。また、音発生装置２０には、後述する制御部９０（図１０参照）が電気的に接続される。この制御部９０によって音発生装置２０が作動される。また、音発生装置２０は、浸水報知部の一例である。
【００１６】
（筐体の凹部）
図３及び図４に示されるように、筐体１２の後面１２Ｒにおける外周部には、凹部３０が形成される。凹部３０は、筐体１２の後面１２Ｒの幅方向（矢印Ｗ方向）の一端側に形成される。この凹部３０は、筐体１２の後面１２Ｒに対して凹む。また、凹部３０は、筐体１２の厚み方向から見て、矩形状に形成される。さらに、凹部３０の幅方向の一端側には、開口３４が形成される。
【００１７】
凹部３０の底部３２は、成形回路部品（ＭＩＤ：Molded Interconnect Device）によって形成される。また、底部３２には、後述する一対の第一接点部５０、第一導体パターン５２、第二接点部７２、及び第二導体パターン７４が、例えば、Laser Direct Structuring（ＬＤＳ）工法によって形成される。この凹部３０には、スライドボタン装置４０が設けられる。
【００１８】
（スライドボタン装置）
スライドボタン装置４０は、スライドボタン４２と、一対の第一接点部５０とを有する。スライドボタン（スライドスイッチ）４２は、ボタン本体４４と、導通部材４８とを有する。
【００１９】
ボタン本体４４は、絶縁性を有する樹脂等によって形成される。また、ボタン本体４４は、筐体１２の厚み方向から見て矩形状に形成される。このボタン本体４４は、図示しないスライド機構によって、筐体１２の幅方向にスライド可能に凹部３０に収納される。換言すると、ボタン本体４４は、図示しないスライド機構によって、開口（引出し口）３４から引出し可能に凹部３０に収納される。なお、各図に適宜示される矢印Ｓは、スライドボタン４２のスライド方向の引出し側を示す。
【００２０】
ボタン本体４４は、筐体１２と反対側の外面４４Ａと、筐体１２側の内面４４Ｂとを有する。このボタン本体４４の外面４４Ａには、操作部４６が設けられる。操作部４６は、突起状に形成される。この操作部４６には、利用者がスライドボタン４２を凹部３０から引き出す際に、利用者の指が引っ掛けられる。
【００２１】
図５に示されるように、ボタン本体４４には、導通部材４８が設けられる。導通部材４８は、導電性を有する金属等によって形成される。また、導通部材４８は、スライドボタン４２のスライド方向と直交する方向（以下、「直交方向」という）に沿って配置される。なお、各図に適宜示される矢印Ｖは、直交方向を示す。
【００２２】
導通部材４８は、スライド方向から見て、筐体１２側が開口したハット状に形成される。この導通部材４８は、連結部４８Ａと、一対のスライド接点部４８Ｂとを有する。
【００２３】
連結部４８Ａは、スライド方向から見て、筐体１２側が開口したＣ字形状（Ｕ字形状）に形成される。また、連結部４８Ａは、ボタン本体４４内に埋設される。この連結部４８Ａの直交方向の両端部には、一対のスライド接点部４８Ｂが設けられる。
【００２４】
一対のスライド接点部４８Ｂは、直交方向に間隔を空けて設けられる。また、一対のスライド接点部４８Ｂは、ボタン本体４４の内面４４Ｂから突出する突起状に形成される。この一対のスライド接点部４８Ｂは、凹部３０に対するスライドボタン４２のスライドに伴って、凹部３０内を移動する。図６に示されるように、一対のスライド接点部４８Ｂの移動経路Ｐには、一対の第一接点部５０が設けられる。
【００２５】
（第一接点部）
一対の第一接点部５０は、例えば、導電性を有する金属膜等によって形成される。この一対の第一接点部５０は、凹部３０の底部３２の外面３２Ａに沿って形成される。また、一対の第一接点部５０は、直交方向に間隔を空けて配置される。この一対の第一接点部５０は、利用者によってスライドボタン４２が操作されたことを検知する。
【００２６】
具体的には、図７Ａには、凹部３０にスライドボタン４２が収納された状態が示される。この状態では、一対のスライド接点部４８Ｂが、一対の第一接点部５０に接触されない。つまり、凹部３０にスライドボタン４２が収納された状態では、スライドボタン４２は、一対の第一接点部５０を導通しない非導通状態となる。
【００２７】
一方、図７Ｂに示されるように、利用者によって凹部３０の開口３４からスライドボタン４２が引き出されると、導通部材４８の一対のスライド接点部４８Ｂが移動し、一対の第一接点部５０にそれぞれ接触する。これにより、導通部材４８を介して一対のスライド接点部４８Ｂが導通され、利用者によってスライドボタン４２が操作されたことが検知される。つまり、凹部３０の開口３４からスライドボタン４２が引き出された状態では、スライドボタン４２は、一対の第一接点部５０を導通する導通状態となる。このようにスライドボタン４２は、底部３２の外面３２Ａに沿ったスライドに伴って、非導通状態と導通状態とに変移される。
【００２８】
そして、一対の第一接点部５０が導通されると、後述する制御部９０に導通信号（一対の第一接点部５０の導通情報）が送信される。この結果、制御部９０が、音発生装置２０に防犯用警報音を発生させる。
【００２９】
各第一接点部５０は、第一導体パターン５２を介して基板１４と電気的に接続される。第一導体パターン５２は、例えば、導電性を有する金属膜等によって形成される。この第一導体パターン５２は、底部３２の外面３２Ａに沿って形成される。また、第一導体パターン５２は、底部３２の外面３２Ａに形成された第一貫通孔６０を通って底部３２の外面３２Ａと内面３２Ｂとに亘って配線される。なお、第一接点部５０は、接点部の一例である。
【００３０】
（第一貫通孔）
第一貫通孔６０は、凹部３０の底部３２を厚み方向に貫通する円形状の孔とされる。この第一貫通孔６０は、図６に示されるように、一対のスライド接点部４８Ｂの移動経路Ｐから外れた位置に配置される。より具体的には、第一貫通孔６０は、第一接点部５０に対してスライド方向の引出し側（矢印Ｓ側）に配置される。なお、第一貫通孔６０は、貫通孔の一例である。
【００３１】
図８に示されるように、第一貫通孔６０は、内向きテーパ部６２と、外向きテーパ部６４とを有する。内向きテーパ部６２は、底部３２の外面３２Ａ側に形成される。この内向きテーパ部６２は、底部３２の外面３２Ａから内面３２Ｂへ向かうに従って開口面積（断面積）が狭くなる円錐台状に形成される。
【００３２】
外向きテーパ部６４は、底部３２の内面３２Ｂ側に形成される。この外向きテーパ部６４は、底部３２の内面３２Ｂから外面３２Ａへ向かうに従って開口面積（断面積）が狭くなる円錐台状に形成される。この外向きテーパ部６４と内向きテーパ部６２とは、底部３２の厚み方向の中央部において接続口６６を介して接続される。
【００３３】
第一導体パターン５２は、内向きテーパ部６２及び外向きテーパ部６４を通り、底部３２の外面３２Ａと内面３２Ｂとに亘って形成される。具体的には、第一導体パターン５２は、底部３２の外面３２Ａ、内向きテーパ部６２の内周面６２Ａ、外向きテーパ部６４の内周面６４Ａ、及び底部３２の内面３２Ｂに亘って形成される。この第一導体パターン５２は、筐体１２の内部に設けられた図示しない接点ばね等を介して、基板１４と電気的に接続される。
【００３４】
なお、基板１４は、筐体１２の内部に設けられる。この基板１４は、例えば、矩形の板状に形成される。また、基板１４には、後述するcentral processing unit（ＣＰＵ９２）、及びメモリ９４等の電子部品が実装される。また、第一導体パターン５２は、導体パターンの一例である。
【００３５】
（第一シール材）
第一貫通孔６０には、第一シール材６８が設けられる。第一シール材６８は、例えば、ボンド又は接着剤等とされる。この第一シール材６８は、第一貫通孔６０に第一導体パターン５２が通った状態で、第一貫通孔６０を塞いでいる。
【００３６】
より具体的には、第一シール材６８は、外向きテーパ部６４に設けられており、外向きテーパ部６４側から接続口６６を塞いでいる。この第一シール材６８によって、第一貫通孔６０から筐体１２の内部に水等が浸入することが抑制される。なお、第一シール材６８は、シール材の一例である。
【００３７】
（浸水検知部）
図４及び図６に示されるように、筐体１２の凹部３０には、浸水検知部７０が設けられる。浸水検知部７０は、筐体１２（凹部３０）の浸水を検知するための第二接点部７２を有する。
【００３８】
ここで、凹部３０に水が侵入すると、水を介して一対の第一接点部５０の少なくとも一方と第二接点部７２とが導通される。これにより、後述する制御部９０に導通信号（一対の第一接点部５０と第二接点部７２との導通情報）が送信さる。導通情報を受信した制御部９０は、音発生装置２０を作動し、当該音発生装置２０に浸水報知音を発生させる。
【００３９】
第二接点部７２は、例えば、導電性を有する金属膜等によって形成される。この第二接点部７２は、凹部３０の底部３２の外面３２Ａに沿って形成される。また、第二接点部７２は、一対の第一接点部５０とスライド方向にずれて配置される。より具体的には、図６に示されるように、第二接点部７２は、一対の第一接点部５０に対してスライド方向の収納側（矢印Ｓと反対側）に配置される。
【００４０】
また、第二接点部７２は、スライド方向から見て、一対の第一接点部５０及び一対のスライド接点部４８Ｂの間に配置される。つまり、第二接点部７２は、一対のスライド接点部４８Ｂの移動経路Ｐ（図６参照）から外れた位置に配置される。これにより、図９Ａ及び図９Ｂに示されるように、底部３２の外面３２Ａに沿ってスライドボタン４２がスライドして場合に、一対のスライド接点部４８Ｂが第二接点部７２に接触しない。
【００４１】
図９Ａに示されるように、第二接点部７２は、第二導体パターン７４及び接点ばね７６を介して基板１４と電気的に接続される。第二導体パターン７４は、例えば、導電性を有する金属膜等によって形成される。第二導体パターン７４は、底部３２の外面３２Ａに沿って形成される。また、第二導体パターン７４は、底部３２の外面３２Ａに形成された第二貫通孔８０を通って、底部３２の外面３２Ａと内面３２Ｂとに亘って配線される。
【００４２】
（第二貫通孔）
第二貫通孔８０は、凹部３０の底部３２を厚み方向に貫通する円形状の孔とされる。この第二貫通孔８０は、前述した一対のスライド接点部４８Ｂの移動経路Ｐ（図６参照）から外れた位置に配置される。また、第二貫通孔８０は、内向きテーパ部８２及び外向きテーパ部８４を有する。この第二貫通孔８０には、第二シール材８８が設けられる。第二シール材８８は、第二貫通孔８０に第二導体パターン７４が通った状態で、第二貫通孔８０を塞いでいる。
【００４３】
なお、第二貫通孔８０、第二導体パターン７４、及び第二シール材８８は、前述した第一貫通孔６０、第一導体パターン５２、及び第一シール材６８と同様の構成とされる。そのため、第二貫通孔８０、第二導体パターン７４、及び第二シール材８８の構成の説明は省略する。
【００４４】
（制御部）
次に、制御部について説明する。
【００４５】
図１０に示されるように、制御部９０は、例えば、コンピュータで実現される。コンピュータは、ＣＰＵ９２、一時記憶領域としてのメモリ９４、及び不揮発性の記憶部９６を備える。これらのＣＰＵ９２、メモリ９４、及び記憶部９６は、互いに電気的に接続される。
【００４６】
記憶部９６は、例えば、Hard Disk Drive（ＨＤＤ）又はフラッシュメモリ等で実現される。この記憶部９６には、電子機器１０の動作を制御する各種のプログラムが記憶される。そして、ＣＰＵ９２は、記憶部９６からプログラムを読み出してメモリ９４に展開し、プログラムの各ステップを順次実行する。この際、ＣＰＵ９２は、制御部９０として機能する。
【００４７】
（作用）
次に、本実施形態の作用について説明する。
【００４８】
（警報音発生機能）
先ず、利用者によってスライドボタン４２が操作された場合の制御部９０の動作について説明する。
【００４９】
図７Ａには、凹部３０に収納されたスライドボタン４２が示される。つまり、図７Ａには、非導通状態のスライドボタン４２が示される。この非導通状態では、一対の第一接点部５０が導通されていない。
【００５０】
この状態から、先ず、利用者は、スライドボタン４２の操作部４６に指を引っ掛け、凹部３０の開口３４からスライドボタン４２を筐体１２から引き出す。これにより、図７Ｂに示されるように、スライドボタン４２が底部３２の外面に沿ってスライドし、非導通状態から導通状態へ変移される。
【００５１】
スライドボタン４２が導通状態になると、導通部材４８の一対のスライド接点部４８Ｂが、一対の第一接点部５０にそれぞれ接触される。これにより、導通部材４８を介して一対の第一接点部５０が導通され、導通信号が制御部９０に送信される。導通信号を受信した制御部９０は、図１１に示されるプログラムの各ステップを実行する。
【００５２】
先ず、制御部９０は、ステップＳ１０において、筐体１２の凹部３０が浸水しているか否かを確認する。凹部３０が浸水されている場合、水を介して一対の第一接点部５０が導通されるためである。
【００５３】
具体的には、制御部９０は、ステップＳ１０において、一対の第一接点部５０の少なくとも一方と第二接点部７２とが導通されているか否かを判断する。筐体１２の凹部３０が浸水している場合は、水を介して一対の第一接点部５０が導通されるとともに、一対の第一接点部５０の少なくとも一方と第二接点部７２とが導通されるためである。そして、制御部９０が、一対の第一接点部５０の少なくとも一方と第二接点部７２とが導通されていないと判断した場合は、ステップ１２へ移行する。
【００５４】
ステップ１２では、制御部９０は、警報音を発生させるための制御信号（警報音発生信号）を音発生装置２０に送信する。これにより、音発生装置２０から防犯用警報音が発生される。
【００５５】
一方、凹部３０が浸水している場合は、前述したように、水を介して一対の第一接点部５０が導通されるとともに、一対の第一接点部５０と第二接点部７２とが導通される。この場合、制御部９０は、ステップ１０において、一対の第一接点部５０の少なくも一方と第二接点部７２とが導通されていると判断し、ステップ１４へ移行する。
【００５６】
ステップ１４では、制御部９０は、浸水報知音を発生させるための制御信号（浸水報知音発生信号）を音発生装置２０に送信する。これにより、音発生装置２０から浸水報知音が発生される。
【００５７】
（浸水報知機能）
次に、筐体１２の凹部３０に水が浸水した場合の制御部９０の動作について説明する。
【００５８】
筐体１２の凹部３０が浸水すると、前述したように、水を介して一対の第一接点部５０が導通されるとともに、一対の第一接点部５０の少なくとも一方と第二接点部７２とが導通され、導通信号が制御部９０に送信される。導通信号を受信した制御部９０は、図１１に示されるプログラムの各ステップを実行する。
【００５９】
先ず、制御部９０は、ステップＳ１０において、一対の第一接点部５０の少なくとも一方と第二接点部７２とが導通されているか否かを判断する。ここで、前述したように、凹部３０が浸水した場合は、一対の第一接点部５０の少なくとも一方と第二接点部７２とが導通される。そのため、制御部９０は、一対の第一接点部５０の少なくとも一方と第二接点部７２とが導通されていると判断し、ステップ１４へ移行する。
【００６０】
ステップ１４では、制御部９０は、浸水報知音を発生させるための制御信号（浸水報知音発生信号）を音発生装置２０に送信する。これにより、音発生装置２０から浸水報知音が発生される。
【００６１】
このように制御部９０は、一対の第一接点部５０及び第二接点部７２のうち、一対の第一接点部５０のみが導通された場合に、音発生装置２０に防犯用警報音を発生させる。また、制御部９０は、一対の第一接点部５０の少なくとも一方と第二接点部７２とが導通された場合に、音発生装置２０に浸水報知音を発生させる。
【００６２】
なお、制御部９０は、一対の第一接点部５０の少なくとも一方と第二接点部７２とが導通された場合、図１１に示されるプログラムを実行せずに、制御信号（浸水報知音発生信号）を音発生装置２０に送信しても良い。
【００６３】
次に、本実施形態の効果について説明する。
【００６４】
図３に示されるように、電子機器１０の利用者（所持者）は、例えば、不審者等の第三者から身の危険等を感じた場合に、筐体１２の凹部３０からスライドボタン４２を矢印Ｓ方向へ引き出す。これにより、前述したように、スライドボタン４２の導通部材４８を介して一対の第一接点部５０が導通され、音発生装置２０から防犯用警報音が発生される。したがって、電子機器１０の利用者は、周囲の人に助け等を求めることができる。
【００６５】
また、例えば、筐体１２の凹部３０に雨水等が浸水した場合は、前述したように、雨水等を介して第一接点部５０の少なくとも一方と第二接点部７２とが導通され、音発生装置２０から浸水報知音が発生される。これにより、電子機器１０の利用者（所持者）に、筐体１２が浸水したことを報知することができる。したがって、電子機器１０の破損が抑制される。
【００６６】
ここで、筐体１２は、防水構造を有する。具体的には、図８に示されるように、一対の第一接点部５０は、凹部３０の底部３２の外面３２Ａに設けられる。この一対の第一接点部５０と基板１４とは、第一貫通孔６０を通る第一導体パターン５２を介して接続される。第一貫通孔６０は、第一導体パターン５２が通った状態で、第一シール材６８によって塞がれる。これにより、第一貫通孔６０から筐体１２の内部に雨水等が浸入することが抑制される。
【００６７】
また、図９Ａに示されるように、第二接点部７２は、凹部３０の底部３２の外面３２Ａに設けられる。この第二接点部７２と基板１４とは、第二貫通孔８０を通る第二導体パターン７４を介して接続される。第二貫通孔８０は、第二導体パターン７４が通った状態で、第二シール材８８によって塞がれる。これにより、第二貫通孔８０から筐体１２の内部に雨水等が浸入することが抑制される。
【００６８】
また、第一シール材６８は、第一貫通孔６０内に設けられる。これと同様に、第二シール材８８は、第二貫通孔８０内に設けられる。そのため、スライドボタン４２が凹部３０の外面３２Ａに沿ってスライドしても、第一シール材６８及び第二シール材８８にはスライドボタン４２が干渉しない。これにより、スライドボタン４２のスライドに伴って、第一シール材６８及び第二シール材８８が破損することが抑制される。したがって、筐体１２の防水性能が向上する。
【００６９】
また、本実施形態のスライドボタン装置４０は、押しボタン装置と比較して、筐体１２の薄型化を図ることができる。つまり、本実施形態では、筐体１２の薄型化を図りつつ、筐体１２の防水性能を向上させることができる。
【００７０】
さらに、図６に示されるように、第一貫通孔６０及び第二貫通孔８０は、一対のスライド接点部４８Ｂの移動経路Ｐから外れた位置に配置される。これにより、スライドボタン４２のスライドに伴って、一対のスライド接点部４８Ｂが第一貫通孔６０及び第二貫通孔８０に干渉するが抑制される。したがって、スライドボタン４２の操作性が向上する。
【００７１】
また、図８に示されるように、第一貫通孔６０は、内向きテーパ部６２及び外向きテーパ部６４を有する。内向きテーパ部６２の開口面積は、底部３２の外面３２Ａから内面３２Ｂに向かうに従って狭くなる。一方、外向きテーパ部６４の開口面積は、底部３２の内面３２Ｂから外面３２Ａへ向かうに従って狭くなる。これらの外向きテーパ部６４と内向きテーパ部６２とは、接続口６６を介して互いに接続される。このように狭くされた接続口６６を第一シール材６８によって塞ぐことにより、第一貫通孔６０のシール性が向上する。
【００７２】
なお、第二貫通孔８０についても、第一貫通孔６０と同様に、内向きテーパ部６２と外向きテーパ部６４とを有する。この第二貫通孔８０を第二シール材８８で塞ぐことにより、第二貫通孔８０のシール性が向上する。
【００７３】
（変形例）
次に、上記実施形態の変形例について説明する。
【００７４】
上記実施形態では、第一貫通孔６０が内向きテーパ部６２及び外向きテーパ部６４を有する。しかしながら、第一貫通孔は、底部３２の外面３２Ａから内面３２Ｂへ向かうに従って開口面積が狭くなる内向きテーパ部のみによって形成されても良い。また、第一貫通孔は、底部３２の内面３２Ｂから外面３２Ａへ向かうに従って開口面積が狭くなる外向きテーパ部のみによって形成されても良い。さらに、第一貫通孔は、開口面積が変化しない円柱状に形成されても良い。
【００７５】
また、第一貫通孔と同様に、第二貫通孔は、底部３２の外面３２Ａから内面３２Ｂへ向かうに従って開口面積が狭くなる内向きテーパ部のみによって形成されても良い。また、第二貫通孔は、底部３２の内面３２Ｂから外面３２Ａへ向かうに従って開口面積が狭くなる外向きテーパ部のみによって形成されても良い。さらに、第二貫通孔は、開口面積が変化しない円柱状に形成されても良い。
【００７６】
また、第一貫通孔と第二貫通孔の形状は、同じであっても良いし、異なっていても良い。
【００７７】
また、上記実施形態の制御部９０は、筐体１２の凹部３０の浸水を検知した場合、音発生装置２０に浸水報知音を発生させる。しかしながら、制御部は、筐体１２の凹部３０の浸水を検知した場合に、音発生装置２０とは別の音発生装置から浸水報知音を発生させても良い。
【００７８】
また、制御部は、浸水を報知する手段として、筐体１２に設けられた図示しない振動発生装置に振動を発生させても良いし、筐体１２に設けられた図示しないランプを発光させても良い。つまり、制御部９０は、浸水を検知した場合に、音、振動、及び光の少なくとも一つを発生させることができる。さらに、制御部９０は、浸水を検知した場合に、表示装置１６の表示面１６Ａに所定のメッセージを表示させることも可能である。また、浸水検知部７０は、適宜省略可能である。
【００７９】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００８０】
なお、以上の実施形態に関し、さらに以下の付記を開示する。
【００８１】
（付記１）
一対の貫通孔を外面に有する筐体と、
前記筐体に設けられ、警報音を発生する音発生装置と、
前記筐体の前記外面に設けられる一対の接点部と、
前記筐体の前記外面に沿ったスライドに伴って前記一対の接点部を導通させるスライドボタンと、
前記筐体の内部に設けられるとともに、前記一対の貫通孔をそれぞれ通る導体パターンを介して前記一対の接点部と接続され、前記一対の接点部が導通された場合に前記音発生装置に警報音を発生させる制御部と、
前記貫通孔に前記導体パターンが通った状態で、該貫通孔を塞ぐシール材と、
を備える電子機器。
（付記２）
前記導体パターンは、前記筐体の前記外面、前記筐体の内面、及び前記貫通孔の内周面に形成される、
付記１に記載の電子機器。
（付記３）
前記スライドボタンは、前記筐体の前記外面に沿ったスライドに伴って、一対の前記接点部とそれぞれ接触する一対のスライド接点部を有し、
前記貫通孔は、前記一対のスライド接点部の移動経路から外れた位置に配置される、
付記１又は付記２に記載の電子機器。
（付記４）
前記スライドボタンは、
前記筐体の前記外面に沿ってスライドするボタン本体と、
前記ボタン本体に設けられ、前記筐体の前記外面に沿った前記ボタン本体のスライドに伴って前記一対の接点部を接続する導通部材と、
を有し、
前記一対のスライド接点部は、前記導通部材に設けられる、
付記１〜付記３の何れか１つに記載の電子機器。
（付記５）
前記導通部材は、前記ボタン本体に埋設され、前記一対のスライド接点部を連結する連結部を有する、
付記４の記載の電子機器。
（付記６）
前記貫通孔は、前記筐体の前記外面から内面に向かうに従って開口面積が狭くなる内向きテーパ部を有する、
付記１〜付記５の何れか１つに記載の電子機器。
（付記７）
前記貫通孔は、前記筐体の内面から前記外面に向かうに従って開口面積が狭くなる外向きテーパ部を有する、
付記１〜付記５の何れか１つに記載の電子機器。
（付記８）
前記貫通孔は、
前記筐体の前記外面から内面に向かうに従って開口面積が狭くなる内向きテーパ部と、
前記筐体の前記内面から前記外面に向かうに従って開口面積が狭くなり、前記内向きテーパ部と接続される外向きテーパ部と、
を有する、
付記１〜付記５の何れか１つに記載の電子機器。
（付記９）
前記スライドボタンは、前記筐体の前記外面に沿ったスライドに伴って、前記一対の接点部を導通する導通状態と、前記一対の接点部を導通しない非導通状態とに変移される、
付記１〜付記８の何れか１つに記載の電子機器。
（付記１０）
一対の第一貫通孔、及び第二貫通孔を外面に有する筐体と、
前記筐体に設けられ、警報音を発生する音発生装置と、
前記筐体に設けられ、該筐体の前記外面の浸水を報知する浸水報知部と、
前記筐体の前記外面に設けられる一対の第一接点部と、
前記筐体の前記外面に沿ったスライドに伴って前記一対の第一接点部を導通させるスライドボタンと、
前記筐体の前記外面に設けられる第二接点部と、
前記筐体の内部に設けられるとともに、前記一対の第一貫通孔をそれぞれ通る第一導体パターンを介して前記一対の第一接点部と接続され、かつ、前記第二貫通孔を通る第二導体パターンを介して前記第二接点部と接続され、前記一対の第一接点部及び前記第二接点部のうち、前記一対の第一接点部のみが導通された場合に前記音発生装置に警報音を発生させ、前記一対の第一接点部の少なくとも一方と前記第二接点部とが導通された場合に、前記浸水報知部に前記筐体の前記外面の浸水を報知させる制御部と、
前記第一貫通孔に前記第一導体パターンが通った状態で、該第一貫通孔を塞ぐ第一シール材と、
前記第二貫通孔に前記第二導体パターンが通った状態で、該第二貫通孔を塞ぐ第二シール材と、
を備える電子機器。
（付記１１）
前記浸水報知部は、音、光、及び振動の少なくとも一つを発生する、
付記１０に記載の電子機器。
（付記１２）
前記第一導体パターンは、前記筐体の前記外面、前記筐体の内面、及び前記第一貫通孔の内周面に沿って形成され、
前記第二導体パターンは、前記筐体の前記外面、前記筐体の内面、及び前記第二貫通孔の内周面に沿って形成される、
付記１０又は付記１１に記載の電子機器。
（付記１３）
前記スライドボタンは、前記筐体の前記外面に沿ったスライドに伴って、前記一対の第一接点部とそれぞれ接触する一対のスライド接点部を有し、
前記一対の第一貫通孔、及び前記第二貫通孔は、前記一対のスライド接点部の移動経路から外れた位置に配置される、
付記１０〜付記１２の何れか１つに記載の電子機器。
（付記１４）
前記スライドボタンは、
前記筐体の前記外面に沿ってスライドするボタン本体と、
前記ボタン本体に設けられ、前記筐体の前記外面に沿った前記ボタン本体のスライドに伴って前記一対の第一接点部を接続する導通部材と、
を有し、
前記一対のスライド接点部は、前記導通部材に設けられる、
付記１３に記載の電子機器。
（付記１５）
前記導通部材は、前記ボタン本体に埋設され、前記一対のスライド接点部を連結する連結部を有する、
付記１４の記載の電子機器。
（付記１６）
前記第一貫通孔及び前記第二貫通孔の少なくとも一方は、前記筐体の前記外面から内面に向かうに従って開口面積が狭くなる内向きテーパ部を有する、
付記１０〜付記１５の何れか１つに記載の電子機器。
（付記１７）
前記第一貫通孔及び前記第二貫通孔の少なくとも一方は、前記筐体の内面から前記外面に向かうに従って開口面積が狭くなる外向きテーパ部を有する、
付記１０〜付記１５の何れか１つに記載の電子機器。
（付記１８）
前記第一貫通孔及び前記第二貫通孔の少なくとも一方は、
前記筐体の前記外面から内面に向かうに従って開口面積が狭くなる内向きテーパ部と、
前記筐体の前記内面から前記外面に向かうに従って開口面積が狭くなり、前記内向きテーパ部と接続される外向きテーパ部と、
を有する、
付記１０〜付記１５の何れか１つに記載の電子機器。
（付記１９）
前記スライドボタンは、前記筐体の前記外面に沿ったスライドに伴って、前記一対の第一接点部を導通する導通状態と、前記一対の第一接点部を導通しない非導通状態とに変移される、
付記１０〜付記１８の何れか１つに記載の電子機器。
（付記２０）
前記筐体は、前記スライドボタンをスライド可能に収納する凹部を有し、
前記筐体の前記外面は、前記凹部の底部の外面とされる、
付記１〜付記１９の何れか１つに記載の電子機器。
【符号の説明】
【００８２】
１０    電子機器
１２    筐体
２０    音発生装置（浸水報知部の一例）
３０    凹部
３２    底部
３２Ａ  外面（筐体の外面の一例）
３２Ｂ  内面（筐体の内面の一例）
４２    スライドボタン
４４    ボタン本体
４８    導通部材
４８Ａ  連結部
４８Ｂ  スライド接点部
５０    第一接点部
５２    第一導体パターン
６０    第一貫通孔（貫通孔の一例）
６２    内向きテーパ部
６２Ａ  内周面
６４    外向きテーパ部
６４Ａ  内周面
６８    第一シール材（シール材の一例）
７２    第二接点部
７４    第二導体パターン
８０    第二貫通孔
８２    内向きテーパ部
８４    外向きテーパ部
８８    第二シール材
９０    制御部
Ｐ      移動経路
【図１】
2019186627.tif 000003
【図２】
2019186627.tif 000004
【図３】
2019186627.tif 000005
【図４】
2019186627.tif 000006
【図５】
2019186627.tif 000007
【図６】
2019186627.tif 000008
【図７Ａ】
2019186627.tif 000009
【図７Ｂ】
2019186627.tif 000010
【図８】
2019186627.tif 000011
【図９Ａ】
2019186627.tif 000012
【図９Ｂ】
2019186627.tif 000013
【図１０】
2019186627.tif 000014
【図１１】
2019186627.tif 000015